(57)【特許請求の範囲】
【請求項１】
固定柵部に設ける一対の支柱のうち一方の支柱に回動操作自在とするための操作ハンドルを止着するとともに、該支柱を前記固定柵部に軸承し、該支柱には回動軸心に対して偏心する偏心軸部を一体的に設け、前記操作ハンドルの回動操作により他方の支柱との間隔を変位させてベッドに取り付けるよう構成してなる固定機構を備えたサイドレールあるいはベッド用グリップにおいて、前記固定機構のロック時における前記操作ハンドルと前記固定柵部との間に保持装置を配するに、該保持装置の操作ハンドル側に該操作ハンドルを保持する保持溝を設けるとともに、該操作ハンドルの回動操作に伴い該保持装置が上下に揺動するように弾性変形する取付片を一体的に設けたことを特徴とする操作ハンドルの保持装置。
【請求項２】
上記保持装置の上記操作ハンドルとの接触部を、前記操作ハンドルの回動面に交差するように支柱から離間する方向に向かって斜めに張り出す斜部としたことを特徴とする請求項１に記載の保持装置。
【請求項３】
上記固定柵部の支柱取付部となるベースパイプの断面形状を矩形状とし、上記保持装置には前記ベースパイプに沿っての揺動を案内するガイド片を設けるとともに、通孔を設けて上記偏心軸部を備えた支柱を該通孔に遊挿してベースフレームに止着したことを特徴とする請求項１または請求項２に記載の操作ハンドルの保持装置。
【発明の詳細な説明】
【技術分野】
【０００１】
本発明は、ベッドに装着して使用するサイドレールあるいはベッド用グリップ等の固定機構における操作ハンドルの保持装置に関するものである。
【背景技術】
【０００２】
従来から、ベッドのサイドフレーム等に設けられた取付孔等に装着して使用するサイドレールやベッド用グリップがある。前者のサイドレールは、掛け布団や利用者本人が落ちないように防止したり、ベッド上で寝返りや起き上がり等の補助として使用されるものである。後者のベッド用グリップは、座位保持、立ち上がり、乗り移りを容易に行なうためのグリップとして使用されるものである。
【０００３】
前者のサイドレールについては、着脱を容易にするために少し緩めに作られたものがあるが、使用状況によっては誤って外されないようにしっかりと固定できるものが望ましい場合がある。後者のベッド用グリップについては、利用者の身体を支持することが目的となっているので、しっかり固定できるものでなければならない。
このようなサイドレールあるいはベッド用グリップの固定機構には種々あるが、その一つとして次のようなものがある。
【０００４】
この固定機構は、ベッドのサイドフレーム等に設けられる複数の取付孔に嵌合する一対の支柱のうち１本の支柱の脚部を支柱本体の軸心に対し偏心した状態で設け、この支柱本体を軸心周りに回転操作自在に取り付けて構成したものである。
これは、脚部を回動操作するだけで、他方の支柱との間隔が変位して、サイドフレームの取付孔の間隔に対し狭くなったり、広くなったりすることで強固に固定することができるようにしたものである。
【先行技術文献】
【特許文献】
【０００５】
【特許文献１】特開平７−２９８９６０号公報
【発明の概要】
【発明が解決しようとする課題】
【０００６】
しかしながら、前述の固定機構はベッドに固定した際には、十分な固定力を発揮するものであるが、ベッドから外した状態では脚部に設けた操作ハンドルが回転自在な状態となっており、不必要に回転する問題がある。また、ベッドに固定する際に、操作ハンドルの向きによって固定状態に有るか無いか判断することはできるが、操作に不慣れな方の場合にはロック位置が分かりづらいという問題があった。
そこで、解決しようとする問題点は、このように偏心させた脚部を回動させてベッドに固定する固定機構において、操作ハンドルが固定位置に向いた状態で操作ハンドルを保持することができる保持装置を提供することである。
【課題を解決するための手段】
【０００７】
本発明は、固定柵部に設ける一対の支柱のうち一方の支柱に回動操作自在とするための操作ハンドルを止着するとともに、該支柱を前記固定柵部に軸承し、該支柱には回動軸心に対して偏心する偏心軸部を一体的に設け、前記操作ハンドルの回動操作により他方の支柱との間隔を変位させてベッドに取り付けるよう構成してなる固定機構を備えたサイドレールあるいはベッド用グリップにおいて、前記固定機構のロック時における前記操作ハンドルと前記固定柵部との間に保持装置を配するに、該保持装置の操作ハンドル側に該操作ハンドルを保持する保持溝を設けるとともに、該操作ハンドルの回動操作に伴い該保持装置が上下に揺動するように弾性変形する取付片を一体的に設けたことを最も主要な特徴とする。
また、上記保持装置の上記操作ハンドルとの接触部を、前記操作ハンドルの回動面に交差するように支柱から離間する方向に向かって斜めに張り出す斜部としたことを特徴とする。
さらに、上記固定柵部の支柱取付部となるベースパイプの断面形状を矩形状とし、上記保持装置には前記ベースパイプに沿っての揺動を案内するガイド片を設けるとともに、通孔を設けて上記偏心軸部を備えた支柱を該通孔に遊挿してベースフレームに止着したことを特徴とする。
【発明の効果】
【０００８】
本発明のベッド用グリップ等の偏心軸部を用いた固定機構における操作ハンドルの保持装置は、ロック時における該操作ハンドルと固定柵部との間に配している。そして、保持装置に設けた保持溝によって前記操作ハンドルが保持されるよう構成している。これは、該保持装置に前記固定柵部への取付部として設ける取付片が前記操作ハンドルの回動操作により該操作ハンドルが該保持装置に接触することで弾性変形し、当該保持装置が上下に揺動される。そして、保持装置に設けた保持溝に前記操作ハンドルが位置すると操作ハンドルの回動が拘束されるものとなっている。
このように構成した保持装置は、操作に不慣れな方であっても直感的に操作ハンドルのロック位置を認識できる効果がある。また、ベッドに装着していないときであっても、操作ハンドルを保持しておくことができ、不必要な回動を防止することができるという利点がある。さらに、最小の部品点数で目的を遂げることができ、安価に提供できる。
また、保持装置の操作ハンドルとの接触部を前述のように斜部とすることで、操作ハンドルの回動操作時に保持装置が円滑に揺動される。すなわち、操作力が増加することを防止できるという利点がある。
さらに、保持装置にはベースパイプに沿うガイド片と、回動操作する側の支柱が挿通される通孔が設けられており、この保持装置によって支柱取付部を覆い隠すように構成している。したがって、保持装置の上下揺動が円滑に行われるだけでなく、外観的にも優れたものとすることができるという利点がある。
【図面の簡単な説明】
【０００９】
【図１】本願発明の固定機構の安全装置を備えたベッド用グリップを示す全体正面図
【図２】そのグリップ部の回動状態を示す平面図
【図３】その全体斜視図
【図４】グリップ部の構成を示す説明図
【図５】全体の構成を示す説明図
【図６】回動機構の作用を示す要部断面図（ロック時）
【図７】回動機構の作用を示す要部断面図（ロック解除時）
【図８】回動機構の作用を示す要部断面図（回動操作時）
【図９】保持装置を示す説明図
【図１０】保持装置の保持状態を示す全体斜視図
【図１１】その要部断面図
【図１２】保持装置の作動状態を示す全体斜視図
【図１３】その要部断面図
【発明を実施するための形態】
【００１０】
サイドレールあるいはベッド用グリップの固定柵部と回動操作してベッドへの固定を行う支柱との間に、最小の部品点数で、外観を損なうことなく、保持装置を配して支柱を回動操作するための操作ハンドルをロック位置で保持できるようにした。
【実施例１】
【００１１】
以下、本発明の実施例について図面に基づいて具体的に説明する。
なお、本発明の一実施形態を説明するために、ベッド用グリップを用いていますが、これはベッド用グリップに限定するものではなく、上述したようにサイドレールであっても何ら問題はない。
【００１２】
このベッド用グリップ１は、第１図から第３図に示すように、主として固定柵部２と、この固定柵部２の一側部に回動機構３を介して回動自在に連設するグリップ部４とからなる。なお、前記固定柵部２にはベッドＢのサイドフレームＢｆに設けられた取付孔ｈ，ｈ，・・・に取り付けるための固定手段５を具備するが、この固定手段５については後述する。
【００１３】
まず、前記固定柵部２はベースパイプ６にコ字状に曲折してなる枠パイプ７を固着するとともに、この内部に補強部材８，８，・・・，９を固着して構成している。
一方、前記グリップ部４はグリップフレーム１０にグリップ部材１１を装着して構成している。なお、前記グリップフレーム１０は第４図に示すように支持パイプ１２にＬ字状に曲折した補強パイプ１３を固着するとともに、前記グリップ部材１１を固定するための空孔部１４ａ，１４ａ，・・・を穿設した取付プレート１４を固着したものである。
【００１４】
そして、このように構成した固定柵部２とグリップ部４は、次のように構成した回動機構３により、回動操作自在かつ所定の角度で保持できるように連設している。
【００１５】
まず、前記固定柵部２に設ける回動機構３から説明する。
上記ベースパイプ６の一端部にシテンパイプ１５を固着している。なお、このシテンパイプ１５の軸心Ｏ１が前記グリップ部４の回動中心となるように構成している。
そして、該シテンパイプ１５の上面には、内側に複数の溝部１６ａ，１６ａ，・・・を設けてなる内歯プレート１６を固着している。なお、本実施例においては歯数８として図示している。そして、この内歯プレート１６の下方に位置するように前記シテンパイプ１５の内側に突出する状態で前記シテンパイプ１５の軸心Ｏ１と直交する方向でストッパーピン１７を固着している。
【００１６】
一方、該シテンパイプ１５の上方には、上記枠パイプ７に固着した取付支持プレート１８とロック部支持プレート１９を配している。該取付支持プレート１８には前記軸心Ｏ１と同一となり前記支持パイプ１２を挿通する空孔部１８ａを穿設している。また、前記ロック部支持プレート１９には、後述するロックプレート２０を所定の範囲で回動するための回動軸受部１９ａとロック部カバー２１，２１の取付部となる空孔部１９ｂ，１９ｂが設けられている。さらに、該ロック部支持プレート１９の上部には回動軸部１９ｃを設けている。
【００１７】
次に、前記グリップ部４に設けられる回動機構３は、上記グリップフレーム１０の支持パイプ１２の下端部に、上記内歯プレート１６の外径程度の大きさのストッパープレート２２と前記内歯プレート１６に噛合する外歯プレート２３と上記ストッパーピン１７に接触することで回動範囲を規制する規制ピン２４を固着している。
そして、カバーパイプ２５を固着して、前記内歯プレート１６と外歯プレート２３の噛合部を覆っている。なお、第４図は該カバーパイプ２５の一部を切り取り、内部構造を示したものとしている。
【００１８】
このように構成したグリップ部４は、上記取付支持プレート１８の空孔部１８ａに前記支持パイプ１２の上端を挿通した後、該支持パイプ１２の下端部の外歯プレート２３と前記内歯プレート１６を噛合させている。このとき、前記ストッパープレート２２の下面が内歯プレート１６の上面に接して、それ以上下方移動できない状態となっている。すなわち、グリップ部４を下限まで移動させると、内歯プレート１６と外歯プレート２３が噛合した状態となるように構成している。
一方、前記ロック部支持プレート１９に設けた回動軸部１９ｃには回動ブシュ２６を挿通し、該回動ブシュ２６を前記グリップ部材１１に嵌着している。
【００１９】
次に、前記内歯プレート１６と外歯プレート２３の噛合状態をロックするロック部の構成について説明する。
まず、前記ロックプレート２０は、ストッパー片２０ａと作動片２０ｂと回動軸２０ｃを一体的に構成してなる。詳述すると、ストッパー片２０ａと作動片２０ｂはＬ字状となるよう配置し、この角部に回動軸２０ｃを一体的に設けたものである。
そして、該回動軸２０ｃを前記ロック部支持プレート１９の回動軸受部１９ａに挿通するとともに、該ロックプレート２０とロック部支持プレート１９にそれぞれ設けた掛止片１９ｄ，２０ｄにスプリング２７を掛止することで前記ロックプレート２０が上方回動するように付勢したものである。
なお、前記作動片２０ｂは後述するロック解除ボタン２８を支持する。また、ストッパー片２０ａは、該ロックプレート２０が上方回動したときにグリップ部４の支持パイプ１２の上端が接することでグリップ部４が上下に摺動することができない状態とするための部位である。そのため、ストッパー片２０ａには回動軸２０ｃと同心の円弧部あるいはこの円弧に対する接線による斜状部として、該ロックプレート２０の回動時においても前記支持パイプ１２の上端との間隔の変化量を小さくすることで、該ロックプレート２０の回動時の円滑な動作とグリップ部４のガタつきを極力少なくするよう構成することが好ましい。
【００２０】
そして、ガイドパイプ２９の下方からロック解除ボタン２８を挿通した状態で、該ガイドパイプ２９に設けたガイド溝２９ａに前記ロックプレート２０の作動片２０ｂを挿通するとともに、上記空孔部１８ａに該ガイドパイプ２９の下端部を挿通する。なお、該ガイドパイプ２９の内側上端には鍔部を設け、前記ロック解除ボタン２１の上部をこの鍔部程度の大きさとし、下部を前記ガイドパイプ２９の内径程度とすることで上方への抜け止めとしている。
さらに、前記ロック部支持プレート１９にロック部カバー２１，２１を止着し、該ロック部カバー２１，２１によって前記ガイドパイプ２９に設けた溝部２９ｂを挟むようにして、該ガイドパイプ２９を固定している。
【００２１】
このように構成したベッド用グリップ１の回動機構３は、第６図から第８図に示すように作用する。
第６図に示す通常の状態では、前記内歯プレート１６と外歯プレート２３が噛合しており、グリップ部４の回動はできない状態となっている。詳述すると、ロックプレート２０はスプリング２７によって上方回動されており、このロックプレート２０のストッパー片２０ａが前記グリップ部４の支持パイプ１２の上端に接当した状態となっており、グリップ部４を上方にスライドすることができず、内歯プレート１６と外歯プレート２３の噛合状態を解除することができないものとなっている。
【００２２】
この状態から、グリップ部４を回動するには、第７図に示すように、スプリング２７に抗してロック解除ボタン２８を押し下げ、ロックプレート２０を下方回動する。すると、該ロックプレート２０のストッパー片２０ａが支持パイプ１２の上端から離間して作動片２０ｂと支持パイプ１２との間に空間Ｓが形成される。この状態になると、グリップ部４を上方に摺動することが可能となる。
なお、ロック解除ボタン２８を押しただけでは、内歯プレート１６と外歯プレート２３の噛合状態は解除されないので、グリップ部４を回動することはできない。すなわち、誤ってロック解除ボタン２８を押してしまっても、意図しない回動動作が起きることが無いので安全なものとなっている。
【００２３】
前述の状態からグリップ部４を上方摺動すると、第８図に示すように、前記内歯プレート１６と外歯プレート２３の噛合状態を解除することができ、グリップ部４が回動操作自在な状態となっている。所望の角度にグリップ部４を回動させた後、下方摺動することで内歯プレート１６と外歯プレート２３が噛合し、スプリング２７の付勢力によって自動的にロックプレート２０が上方回動され、ロックが掛かった状態となり、回動することができないロック状態となる。
【００２４】
なお、図面においては４５度ごとに設定できるように内歯プレート１６と外歯プレート２３を形成しているが、歯数を多くすることでより細かな角度設定ができるように構成したり、逆に歯数を減らして固定柵部２に対してグリップ部４が直線状となる状態と直角状となる状態のみに限定するなど適宜設定できるものであり、特に限定するものではない。
さらに、内歯プレート１６と外歯プレート２３の噛合による構成としているが、一方をピンあるいは掛止片等を固着したものとすることで、何れかの歯溝に掛合するように構成しても良い。
また、本実施例では、第２図に示す（ａ）及び（ｂ）の位置までグリップ部４を回動したときに、ストッパーピン１７と規制ピン２４が接触してそれ以上回動しないように構成している。これは、固定柵部２とグリップ部４との間で挟み込みを防止するためのものである。
【００２５】
このように構成した回動機構３によれば、片手でグリップ部４を把持した状態で、ロック解除ボタン２８を押す動作からグリップ部４を持ち上げ回動させる操作を行うこともできる。したがって、操作が簡単であるとともに、両手を使う必要もないので煩わしさがない。さらに、ロックを解除するためにはロック解除ボタン２８を押し下げつつ、グリップ部４を上方に摺動させるように構成しているので、誤ってロック解除ボタン２８を押し下げただけではグリップ部４を回動することはできず、安全なものとなっている。
さらに、この回動機構３は、構成部品が少なく、安価に提供できるという効果もある。
【００２６】
次に、上述のように構成されたベッド用グリップ１に具備する固定機構５について説明する。
この固定機構５は、上記ベースパイプ６の下方に突出するように配した一対の支柱３０，３１からなるものである。まず、一方の支柱３０は、前記ベースパイプ６に設けた嵌通孔６ａに挿通して固着している。
そして、他方の支柱３１は、第１１図に示すように、前記ベースパイプ６に設けた嵌通孔６ａにボス３２を固着して取付部としている。このボス３２には、回動操作時の回動軸となる軸部３１ａと該軸部３１ａよりも大径となる鍔部３１ｂ、そして前記軸部３１ａの軸心Ｏ２に対して偏心させた偏心軸部３１ｃとを一体的に形成してなる支柱３１を挿通するとともに、抜け止めしている。なお、第１１図において、Ｏ３は偏心軸部３１ｃの軸心を示している。
なお、前記鍔部３１ｂには水平方向に伸びる操作ハンドル３３を固着している。
また、それぞれの支柱３０，３１の上端には保護キャップ３４，３４を取り付け、布団等が引っ掛からないようにしている。
【００２７】
このように構成された固定機構５は、前記操作ハンドル３３をグリップ部４に向けた状態で、支柱３０と偏心軸部３１ｃの間隔がベッドＢのベッドフレームＢｆに設けた取付孔ｈ，ｈの間隔と等しくなるように構成している。
そして、この状態で前記取付孔ｈ，ｈに、これら支柱３０，３１を挿通した後、前記操作ハンドル３３を他方の支柱３１側に向くように水平回動する。すると、上述したように軸部３１ａに対して偏心して偏心軸部３１ｃが設けられているので、前記取付孔ｈ，ｈの間隔よりもこれら支柱３０と偏心軸部３１ｃの間隔が狭くなり、大きな固定力となってベッド用グリップ１を固定するものとなっている。
なお、該操作ハンドル３３は３６０度回転操作自在であるので、ベッドＢの左右どちら側にも取り付けできる固定機構５となっていることは言うまでもない。
【００２８】
次に、上述のように構成した固定機構５における操作ハンドル３３の保持装置３５について説明する。
この保持装置３５は、第９図に示すように箱状に構成しており、上部は開口して内部には前記ベースパイプ６の下面に取り付けるための逆Ｌ字状の取付片３５ａが設けられ、この取付片３５ａの下方には取付孔３５ｂを設けている。また、底面には、通孔３５ｃが設けられ、前記ベースパイプ６に該保持装置３５を取り付けた状態では前記ボス３２と前記支柱３１が挿通される。
さらに、該保持装置３５の底面には、前記操作ハンドル３３の保持溝３５ｄを設けている。なお、該保持溝３５ｄ側の底面は前記操作ハンドル３３の回動操作時に該操作ハンドル３３の基端側とは接触することなく、ロック状態に近づくにつれて基端から徐々に離間する箇所が該保持装置３５の底面に接触するように斜め下方に張り出す斜部３５ｅを設けている。
また、本実施例では、ベースパイプ６に角パイプを用いていることから、このベースパイプ６の側面に沿って当該保持装置３５が上下に揺動するように両側面を延設してガイド片３５ｆとしている。
このように構成した保持装置３５は、第１１図に示すように、取付片３５ａをベースパイプ６にネジ止めして取り付けている。
【００２９】
前述のように取り付けた保持装置３５は、本願固定機構５の操作ハンドル３３の回動位置に応じて次のように作動する。
まず、上述のように構成したベッド用グリップ１の支柱３０，３１をベッドＢのサイドフレームＢｆに挿通する。このとき、前記操作ハンドル３３はグリップ部４側に向けておく。
ベッドＢに固定するために前記操作ハンドル３３を略１８０度水平回動する。該操作ハンドル３３がロック状態に近づくと、第１２図に示すように、前記保持装置３５の下面に設けた斜部３３ｅに該操作ハンドル３３が接触して、前記取付片３５ａが撓み、前記ガイド片３５ｆに案内されベースパイプ６に沿って当該保持装置３５が上方揺動する。
さらに、操作ハンドル３３を回動させると、第１０図に示すように、前記保持溝３５ｄに該操作ハンドル３３が位置すると同時に保持装置３５が下方揺動して該保持溝３５ｄによって操作ハンドル３３が保持される。このように保持溝３５ｄに操作ハンドル３３が位置することで保持装置３５は傾いた状態から正常な状態に戻りロック状態となっていることが容易に確認できる。
なお、この保持装置３５の取付片３５ａが弾性変形しやすい材質、例えば樹脂等で成形することによって、回動操作時の操作力はほとんど変化させることなく、ロック位置での保持ができるものとすることができる。
【００３０】
また、この保持装置３５は、ベッドＢにこのベッド用グリップ１を装着していない状態でも、前記操作ハンドル３３を前記保持溝３３ｄに位置させることで操作ハンドル３３を保持することができ、不必要な回動が防止できる。
【００３１】
これまで説明したようにこの保持装置３５は、前記操作ハンドル３３の回動操作にあわせ、取付片３５ａが撓むことによって上方に揺動され、保持溝３５ｄに操作ハンドル３３が位置すると下方揺動し、この状態で操作ハンドル３３を保持できる構成となっている。
そのため、操作に不慣れな方であっても、ロック位置を直感的に認識することができるので、正確なロック操作ができるものとなっている。
【符号の説明】
【００３２】
１    ベッド用グリップ
２    固定柵部
３    回動機構
４    グリップ部
５    固定機構
６    ベースパイプ
３０  支柱
３１  支柱
３１ｃ  偏心軸部
３３  操作ハンドル
３５  保持装置
３５ａ  取付片
３５ｃ  通孔
３５ｄ  保持溝
３５ｅ  斜部
３５ｆ  ガイド片
Ｂ    ベッド
【図１】
0005804406.tif 000002
【図２】
0005804406.tif 000003
【図３】
0005804406.tif 000004
【図４】
0005804406.tif 000005
【図５】
0005804406.tif 000006
【図６】
0005804406.tif 000007
【図７】
0005804406.tif 000008
【図８】
0005804406.tif 000009
【図９】
0005804406.tif 000010
【図１０】
0005804406.tif 000011
【図１１】
0005804406.tif 000012
【図１２】
0005804406.tif 000013
【図１３】
0005804406.tif 000014